(57)【要約】【課題】高いコントラストで光を変調する画像表示素子を提供する。【解決手段】画像表示素子は、主面上に複数の画素電極２８２が配列される基板２８０と、主面上に設けられる液晶層２７８と、液晶層２７８の上に設けられる共通電極２７６と、を備える。画素電極２８２には、第１電圧と、第１電圧よりも電位の高い第２電圧の範囲内の電圧が印加され、共通電極２７６には、第１電圧よりも電位の低い第３電圧と、第２電圧よりも電位の高い第４電圧とが交互に印加される。画像表示素子は、共通電極２７６の上に設けられる位相差板２３９をさらに備えてもよい。位相差板２３９は、第１電圧を印加した画素電極２８２と、第３電圧を印加した共通電極２７６との間に設けられる液晶層２７８を光が透過した場合に、当該透過した光に対して与えられる位相差を低減させる位相差の値を有する。【選択図】図５
2015059979.tif 000002
【特許請求の範囲】
【請求項１】
主面上に複数の画素電極が配列される基板と、
前記主面上に設けられる液晶層と、
前記液晶層の上に設けられる共通電極と、
を備え、
前記画素電極には、第１電圧と、前記第１電圧よりも電位の高い第２電圧の範囲内の電圧が印加され、
前記共通電極には、前記第１電圧よりも電位の低い第３電圧と、前記第２電圧よりも電位の高い第４電圧とが交互に印加されることを特徴とする画像表示素子。
【請求項２】
前記共通電極の上に設けられる位相差板をさらに備え、
前記位相差板は、前記第１電圧を印加した前記画素電極と前記第３電圧を印加した前記共通電極との間に設けられる液晶層を光が透過する場合、または、前記第２電圧を印加した前記画素電極と前記第４電圧を印加した前記共通電極との間に設けられる液晶層を光が透過する場合に、当該透過する光に対して与えられる位相差を低減させる位相差の値を有することを特徴とする請求項１に記載の画像表示素子。
【発明の詳細な説明】
【技術分野】
【０００１】
本発明は、画像表示素子に関する。
【背景技術】
【０００２】
ヘッドアップディスプレイと呼ばれる車両用表示装置が知られている。ヘッドアップディスプレイは、車外から入る光を透過すると共に、車内に配置された光学ユニットから投射された画像を車両のウィンドシールドなどに反射させることにより、車外の風景に重畳して情報を表示する表示装置である。ヘッドアップディスプレイは、車外の景色を視認している運転者が視線や焦点をほとんど変化させることなく光学ユニットから投射された画像の情報を認識することができるため、車両用の表示装置として近年注目を集めている。
【０００３】
光学ユニットから投射される画像表示光の変調に用いる光学素子として、例えば、液晶を用いた反射型の画像表示素子が開示されている（例えば、特許文献１参照）。
【先行技術文献】
【特許文献】
【０００４】
【特許文献１】特開平４−３３３０２８号公報
【発明の概要】
【発明が解決しようとする課題】
【０００５】
高精細な画像表示光を生成するには、高いコントラストで投射光を変調できることが望ましい。
【０００６】
本発明は、上述の事情に鑑みてなされたものであり、高いコントラストで光を変調する画像表示素子を提供することを目的とする。
【課題を解決するための手段】
【０００７】
本発明の画像表示素子は、主面上に複数の画素電極が配列される基板と、主面上に設けられる液晶層と、液晶層の上に設けられる共通電極と、を備える。画素電極には、第１電圧と、第１電圧よりも電位の高い第２電圧の範囲内の電圧が印加され、共通電極には、第１電圧よりも電位の低い第３電圧と、第２電圧よりも電位の高い第４電圧とが交互に印加される。
【発明の効果】
【０００８】
本発明の画像表示素子によれば、変調される光のコントラストを高めることができる。
【図面の簡単な説明】
【０００９】
【図１】本発明の実施の形態に係るヘッドアップディスプレイの設置態様を模式的に示す図である。
【図２】光学ユニットの内部構成を示す図である。
【図３】画像投射部の内部構成を模式的に示す図である。
【図４】ウィンドシールドに投射される画像表示光の光路を示す図である。
【図５】画像表示素子の構造を模式的に示す図である。
【図６】比較例に係る印加電圧の波形を示す図である。
【図７】比較例に係る印加電圧の波形を示す図である。
【図８】実施の形態に係る印加電圧の波形を示す図である。
【図９】実施の形態に係る印加電圧の波形を示す図である。
【発明を実施するための形態】
【００１０】
以下、本発明の実施の形態について、図面を参照しつつ説明する。かかる実施の形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１１】
実施の形態に係る画像表示装置として、車両のダッシュボード内に設置して使用されるヘッドアップディスプレイ１０を例に挙げて説明する。図１は、本発明の実施の形態に係るヘッドアップディスプレイ１０の設置態様を模式的に示す図である。ヘッドアップディスプレイ１０は、光学ユニット１００と制御装置５０とを含む。図１は、車両の進行方向（図１における左方向）を基準として左側のダッシュボード内に光学ユニット１００を配置して使用する場合を示す図であり、以下の実施の形態は、左ハンドル車における運転者向けにヘッドアップディスプレイ１０が配置されている例を示している。なお、右ハンドル車用とするためには、車両の進行方向を基準として光学ユニット１００の内部構成を左右反転させればよい。以下図１を参照して、ヘッドアップディスプレイ１０の概要を説明する。
【００１２】
制御装置５０は図示しないＣＰＵ（Central Processing Unit）を備え、光学ユニット１００に表示させるための画像信号を生成する。制御装置５０はまた、図示しない外部入力インタフェースを備えており、ナビゲーション装置やメディア再生装置などの外部装置から出力された画像信号が入力され、その入力された信号に対して所定の処理を行った後、光学ユニット１００に出力することもできる。
【００１３】
光学ユニット１００は、制御装置５０が生成した画像信号をもとに、ウィンドシールド６１０に虚像４５０として表示させる画像表示光を生成する。このため光学ユニット１００は、筐体１１０の内部に画像投射部２１０、中間鏡３５０、中間像形成部３６０、および投射鏡４００を備える。
【００１４】
画像投射部２１０には、光源、画像表示素子、及び各種光学レンズなどが収納される。画像投射部２１０は制御装置５０が出力した画像信号をもとに画像表示光を生成して投射する。なお、本実施の形態では画像表示素子として反射型液晶表示パネルであるＬＣＯＳ（Liquid crystal on silicon）を用いる場合を例示する。
【００１５】
画像投射部２１０が投射した画像表示光は中間鏡３５０で反射される。中間鏡３５０で反射された画像表示光は、中間像形成部３６０に結像される。中間像形成部３６０で結像した実像に係る画像表示光は、中間像形成部３６０を透過し、投射鏡４００に投射される。
【００１６】
投射鏡４００は凹面鏡であり、中間像形成部３６０を透過した画像表示光は投射鏡４００によって拡大されてウィンドシールド６１０に投射される。ウィンドシールド６１０に投射された画像表示光は、ウィンドシールド６１０によってユーザに向かう光路へ変更される。運転者であるユーザＥは、ウィンドシールド６１０で反射さた画像表示光を虚像４５０として、ウィンドシールド６１０よりも視線方向の前方に認識する。
【００１７】
図２は、本発明の実施の形態に係る光学ユニット１００の内部構成を示す図である。以下、図２を参照して、光学ユニット１００の内部構成を説明する。
【００１８】
上述したように、光学ユニット１００は、筐体１１０の内側に画像投射部２１０、中間鏡３５０、中間像形成部３６０、および投射鏡４００を備える。詳細は後述するが、画像投射部２１０は、赤色、緑色、または青色の光をそれぞれ発生する３種類の異なる光源を備える。光源はＬＥＤ（Light Emitting Diode）や半導体レーザー光源を用いて実現できるが、本実施の形態では、光源としてＬＥＤを用いる場合について説明する。
【００１９】
光源は使用時に熱を発生する。このため、光学ユニット１００は、光源を冷却するためのヒートシンクを備える。光源は３種類あるため、それらの光源を冷やすために、光学ユニット１００の筐体１１０の外側に、赤色の光源と接続するヒートシンク１２０ａ、緑色の光源と接続するヒートシンク１２０ｂ（図示せず）、および青色の光源と接続するヒートシンク１２０ｃを備える。
【００２０】
筐体１１０はアルミ製のダイキャストである。ここで、青色の光源および緑色の光源をそれぞれ冷却するためのヒートシンク１２０ｂおよびヒートシンク１２０ｃはともに、筐体１１０と一体に構成されている。これに対し、赤色の光源を冷やすためのヒートシンク１２０ａは、ヒートシンク１２０ｂおよびヒートシンク１２０ｃから空間的に離れた場所に設置されるとともに、筐体１１０とは分離して外付けされている。このため、赤色の光源が発生する熱は、ヒートパイプ２５を介してヒートシンク１２０ａまで運ばれる。
【００２１】
次に、図３および図４を参照してヘッドアップディスプレイ１０の光学系について説明する。図３は、画像投射部２１０の内部構成を画像表示光の光路とともに模式的に示す図である。図４は、中間鏡３５０、中間像形成部３６０および投射鏡４００を介してウィンドシールド６１０に投射される画像表示光の光路を示す図である。
【００２２】
まず、図３を参照して画像投射部２１０の内部構成を説明する。画像投射部２１０は、照明部２３０ａ、２３０ｂ、２３０ｃ（以下総称して照明部２３０ともいう）、ダイクロイッククロスプリズム２４４、反射鏡２３６、フィールドレンズ２３７、偏光ビームスプリッタ２３８、位相差板２３９、検光子２４１、及び投射レンズ群２４２を備える。なお、図３では第１照明部２３０ａ、第３照明部２３０ｃの内部構成の記載を省略し、第２照明部２３０ｂの内部構成のみを示すが、それぞれの照明部２３０は、同様の構成を有する。
【００２３】
照明部２３０は、光源２３１、コリメートレンズ２３２、ＵＶ−ＩＲ（UltraViolet-Infrared Ray）カットフィルタ２３３、偏光子２３４、フライアイレンズ２３５を備える。光源２３１は赤色、緑色、青色のいずれかの色の光を発する発光ダイオードからなる。第１照明部２３０ａは、光源として赤色の光を発する発光ダイオードを有する。第２照明部２３０ｂは、光源２３１として緑色の光を発する発光ダイオードを有する。第３照明部２３０ｃは、光源として青色の光を発する発光ダイオードを有する。
【００２４】
光源２３１は、光源取付部２４３に取り付けられる。光源取付部２４３は、図示しないヒートシンクと熱的に結合され、光源２３１の発光に伴い発生する熱を放熱する。光源２３１が発光した光は、コリメートレンズ２３２によって平行光に変えられる。ＵＶ−ＩＲカットフィルタ２３３は、コリメートレンズ２３２を通過した平行光から紫外光及び赤外光を吸収し除去する。偏光子２３４は、ＵＶ−ＩＲカットフィルタ２３３を通過した光を乱れのないＰ偏光へと変える。そしてフライアイレンズ２３５が、偏光子２３４を通過した光の明るさを均一に整える。
【００２５】
それぞれの照明部２３０のフライアイレンズ２３５を透過した光は、ダイクロイッククロスプリズム２４４に異なる向きから入射される。ダイクロイッククロスプリズム２４４に入射した赤色、緑色、青色の光は、三色が合成された白色光となって反射鏡２３６へ向かう。反射鏡２３６は、ダイクロイッククロスプリズム２４４により合成された白色光の光路を９０度変更する。反射鏡２３６で反射された光は、フィールドレンズ２３７によって集光される。フィールドレンズ２３７が集光した光は、Ｐ偏光を透過する偏光ビームスプリッタ２３８及び位相差板２３９を介して、画像表示素子２４０に照射される。
【００２６】
画像表示素子２４０は、画素毎に赤色、緑色、及び青色のカラーフィルタを備えている。画像表示素子２４０に照射された光は、各画素に対応する色となり、画像表示素子２４０の備える液晶組成物によって変調が施され、Ｓ偏光の画像表示光となって偏光ビームスプリッタ２３８に向けて出射される。出射されたＳ偏光の光は偏光ビームスプリッタ２３８で反射され、光路を変えて検光子２４１を通過した後に投射レンズ群２４２へ入射される。投射レンズ群２４２を透過した画像表示光は、画像投射部２１０を出て中間鏡３５０に入射する。
【００２７】
次に、図４を参照して中間鏡３５０から中間像形成部３６０および投射鏡４００を介してウィンドシールド６１０に投射される画像表示光の光路について説明する。画像投射部２１０の投射レンズ群２４２から出射された画像表示光の光路は、中間鏡３５０によって投射鏡４００に向かう光路へ変更される。その途中で、中間鏡３５０で反射された画像表示光に基づく実像が中間像形成部３６０で結像する。
【００２８】
中間像形成部３６０は、拡散スクリーン３６２と、凹レンズ３６４を有する。拡散スクリーン３６２は、中間像形成部３６０を透過する画像表示光に基づく実像を結像させるとともに、投射鏡４００へと向かう画像表示光の配光角ψを制御する。凹レンズ３６４は、投射鏡４００へと向かう画像表示光の主光線の方向を制御し、中間像形成部３６０を透過する前後の画像表示光がなす角度θを調整する。
【００２９】
中間像形成部３６０を透過した画像表示光は、投射鏡４００により反射されウィンドシールド６１０に投射される。ウィンドシールド６１０に投射された画像表示光は、ウィンドシールド６１０によってユーザに向かう光路へ変更される。これにより、ユーザは上述したように、ウィンドシールド６１０を介して画像表示光に基づく虚像を前方に視認することができる。したがって、ウィンドシールド６１０は、虚像提示面としての機能を有することとなる。
【００３０】
以上の構成とすることで、ユーザは、制御装置５０から出力された画像信号に基づく虚像を、ウィンドシールド６１０を介して現実の風景に重畳して視認することができる。
【００３１】
つづいて、図５を参照しながら、本実施の形態に係る画像表示素子２４０について詳述する。画像表示素子２４０は、反射型の光変調素子であり、画像表示素子２４０へ入射した光Ａは、液晶層２７８によって変調が施されるとともに画素電極２８２で反射され、変調された光Ｂとなって出射される。本実施の形態では、それぞれの画素電極２８２の印加される電圧よりも電圧値の高い駆動電圧を共通電極２７６に印加することで、液晶層２７８に対する印加電圧ＶＬＣを高めて光の変調特性を向上させる。
【００３２】
図５は、画像表示素子２４０および位相差板２３９の構造を模式的に示す図である。画像表示素子２４０は、透明基板２７４、共通電極２７６、液晶層２７８、制御基板２８０、複数の画素電極２８２、を備える。
【００３３】
透明基板２７４は、ガラスやプラスチックなどで構成される透明な平板である。透明基板２７４の主面のうち、制御基板２８０に対向する主面には、共通電極２７６が設けられる。共通電極２７６は、酸化亜鉛（ＺｎＯ）、インジウム錫酸化物（ＩＴＯ）等の透明導電性酸化物（ＴＣＯ）により形成される透明電極層である。共通電極２７６には、図１に示した制御装置５０からの制御信号をもとに、パルス波形の電圧が印加される。
【００３４】
制御基板２８０は、シリコンなどの半導体基板で構成され、それぞれの画素電極２８２に印加する電圧を制御するための半導体素子を含む。制御基板２８０は、図１に示した制御装置５０からの制御信号をもとに、それぞれの画素電極２８２に印加する電圧を制御する。画素電極２８２は、制御基板２８０の主面上にマトリックス状に配列される。画素電極２８２は、アルミニウム（Ａｌ）などの可視光の反射率が高い金属材料で構成される。
【００３５】
液晶層２７８は、共通電極２７６と制御基板２８０の間に封止され、入射光の偏光を回転させる液晶分子を有する。液晶層２７８は、共通電極２７６と画素電極２８２との間に加わる印加電圧ＶＬＣに応じて液晶分子の配向が変化する。これにより、画素電極２８２に入射する光に対する偏光の回転量が印加電圧ＶＬＣに応じて変化する。例えば、印加電圧ＶＬＣをゼロとした状態の場合、入射光Ａと反射光Ｂの偏光方向がほとんど変化しないこととなる一方で、所定の印加電圧ＶＬＣを加えた状態の場合、反射光Ｂは入射光Ａに対して偏光が回転した光となる。
【００３６】
図３を用いて上述したように、本実施の形態では照明部２３０からの光はＰ偏光となって画像表示素子２４０に入射し、画像表示素子２４０において変調された後に、偏光ビームスプリッタ２３８に反射して投射レンズ群２４２へと向かう。このとき、電圧ＶＬＣが印加されない状態の場合には、偏光方向が変化しないため、画像表示素子２４０に反射した光はＰ偏光のままとなる。そのため、画像表示素子２４０にて反射した光は、偏光ビームスプリッタ２３８で反射されず透過することとなる。したがって、印加電圧ＶＬＣをゼロとした場合、画像表示光が投射レンズ群２４２へ出射されないことから、黒色の画像表示光を表示する状態となる。
【００３７】
一方、所定の電圧ＶＬＣが印加された第２状態の場合には、偏光方向が回転することとなるため、反射光にはＳ偏光の成分が含まれる。反射光に含まれるＳ偏光の成分は、偏光ビームスプリッタ２３８にて反射され、投射レンズ群２４２へ出射される。したがって、第２状態においては画像表示光が投射レンズ群２４２へ出射されこととなり、白色の画像表示光を表示する状態となる。このとき液晶層２７８にかかる印加電圧ＶＬＣを変えることで、反射光に含まれるＳ偏光成分の割合を変化させることができる。これにより投射レンズ群２４２へ出射される光の明るさが画素ごとに制御される。
【００３８】
位相差板２３９は、複屈折性を有する光学素子であり、画像表示素子２４０から出射される光Ｂの偏光の回転量を調整する位相補償板である。位相差板２３９は、画像表示素子２４０により黒色として光を変調させる場合において、液晶層２７８の透過によって生じるＳ偏光成分を除去し、Ｓ偏光の残留による光漏れを抑制する。印加電圧ＶＬＣがかからない状態においても、液晶層２７８を透過することにより偏光方向が少しだけ回転してＳ偏光成分が生じ、投射レンズ群２４２に向かって光が漏れてしまうためである。そこで、液晶層２７８の透過により発生する位相差の補償に必要な位相差板２３９を挿入する。
【００３９】
なお、本実施の形態における位相差板２３９は、印加電圧ＶＬＣがかからない状態において発生する位相差を補償するのではなく、所定の印加電圧ＶＬＣをかけた状態において発生する位相差を補償できるよう、与えられる位相差の量が大きい位相差板２３９を用いる。このような位相差板２３９を用いる理由については、液晶層２７８にかかる印加電圧ＶＬＣの制御方法を述べてから後述する。以下、図６〜図９を参照しながら、印加電圧ＶＬＣの制御方法について詳述する。
【００４０】
図６および図７は、比較例に係る印加電圧ＶＬＣの波形を示す図である。図６は、比較例において白色の画像表示光を表示するための印加電圧ＶＬＣの波形を示す図であり、図７は、比較例において黒色の画像表示光を表示するための印加電圧ＶＬＣの波形を示す図である。
【００４１】
比較例においては、共通電極２７６に印加されるコモン電圧Ｖｃｏｍとして、基準となる第１電圧である０Ｖと、第１電圧よりも電圧の高い第２電圧Ｖ０とが交互に繰り返されるパルス波形の電圧を印加する。また、画素電極２８２に印加される画素電圧ＶＰＥとして、第１電圧（０Ｖ）と第２電圧Ｖ０の間の範囲内で、共通電極２７６に印加される電圧Ｖｃｏｍと同じ周波数のパルス波形の電圧が印加される。このとき、液晶層２７８には、コモン電圧Ｖｃｏｍと画素電圧ＶＰＥの差である印加電圧ＶＬＣ＝Ｖｃｏｍ−ＶＰＥがかかることとなる。
【００４２】
比較例においては、図６に示すようにコモン電圧Ｖｃｏｍと、画素電圧ＶＰＥとを逆相にすることによって、印加電圧ＶＬＣとして振幅が第２電圧Ｖ０である交流パルスを液晶層２７８にかける。これにより、光変調量が最も大きい白色の画像表示光を生成する。一方、図７に示すようにコモン電圧Ｖｃｏｍと、画素電圧ＶＰＥとを同相にすることによって、液晶層２７８にかかる印加電圧ＶＬＣをゼロとする。これにより、光変調量が最も小さい黒色の画像表示光を生成する。これにより、印加電圧ＶＬＣから交流成分を排除し、液晶層２７８の焼き付きを防止することができる。
【００４３】
ここで、液晶層２７８による光の変調量は印加電圧ＶＬＣの大小によるため、画像表示素子２４０により変調される光のコントラストを高めるためには、最も明るい白色光を表示するための印加電圧ＶＬＣを大きくする必要がある。つまり、上述の比較例の場合には、第２電圧Ｖ０の値を大きくとればよい。しかしながら、画素の明るさを制御する制御基板２８０は、一般に薄膜トランジスタ（ＴＦＴ；Thin Film Transistor）などの半導体素子で構成されるため、制御基板２８０から出力される画素電圧ＶＰＥの電圧値は一定範囲内に限られてしまう。
【００４４】
そこで、本実施の形態では、画素電圧ＶＰＥの値を高めるのではなく、コモン電圧Ｖｃｏｍの値を高くすることにより、明るい白色光を表示するための印加電圧ＶＬＣを大きくする。共通電極２７６は、制御基板２８０からの出力ではなく、制御装置５０などに含まれる電源回路と直接接続することもでき、コモン電圧Ｖｃｏｍとして比較的高い電圧を容易に印加できるためである。以下、図８および図９を参照しながら、本実施の形態にかかる印加電圧ＶＬＣの制御方法について説明する。
【００４５】
図８は、本実施の形態において白色の画像表示光を表示するための印加電圧ＶＬＣの波形を示す図であり、図９は、本実施の形態において黒色の画像表示光を表示するための印加電圧ＶＬＣの波形を示す図である。
【００４６】
実施の形態においては、共通電極２７６にかかるコモン電圧Ｖｃｏｍとして、基準となる第１電圧よりもΔＶだけ電圧の低い第３電圧（−ΔＶ）と、第２電圧Ｖ０よりもΔＶだけ電圧の高い第４電圧Ｖ１が交互に繰り返されるパルス波形の電圧を印加する。例えば、第２電圧Ｖ０は５Ｖであり、差分電圧ΔＶは１Ｖである。一方、画素電極２８２にかかる画素電圧ＶＰＥは、図６および図７に示した比較例と同じである。
【００４７】
したがって、図８に示す白色の画像表示光を表示する場合においては、印加電圧ＶＬＣとして振幅が第４電圧Ｖ１である交流パルスを液晶層２７８にかけることができる。これにより、画素電圧ＶＰＥを上げることができない場合であっても、印加電圧ＶＬＣを高めて変調される画像表示光のコントラストを高めることができる。また、印加電圧ＶＬＣを高めることにより、必要な光変調量を得るために必要な液晶層２７８の厚さを薄くすることができる。液晶層２７８を薄型化することにより、液晶の応答速度を高めることができる。また、液晶層２７８を薄型化することにより、隣接する画素間に位置する液晶分子が意図しない方向に配向するディスクリネーションの影響を低減することができる。
【００４８】
その一方で、図９に示す黒色の画像表示光を表示する場合においては、印加電圧ＶＬＣがゼロにはならず、第１電圧（０Ｖ）と第３電圧（−ΔＶ）の差分である差分電圧ΔＶの振幅の交流パルスが液晶層２７８に印加される。そのため、黒色を表示する場合にであっても、少なからず入射光が変調されてしまう。そこで、本実施の形態では、差分電圧ΔＶが液晶層２７８に印加された場合に付与される位相差を補償することのできる位相差板２３９を用いる。これにより、差分電圧ΔＶが液晶層２７８に印加された場合であっても、光漏れを抑えてコントラストの高い黒色を表示することができる。
【００４９】
また、本実施の形態では、黒色の表示を行う場合に所定の差分電圧ΔＶを印加しているため、黒色の表示を行う場合においても液晶分子を配向した状態とすることができる。これにより、黒色の表示時に液晶層２７８への印加電圧ＶＬＣをゼロとする場合と比べて、液晶の応答速度を高めることができる。
【００５０】
以上、本発明を上述の各実施の形態を参照して説明したが、本発明は上述の各実施の形態に限定されるものではなく、各実施の形態の構成を適宜組み合わせたものや置換したものについても本発明に含まれるものである。
【００５１】
上述した実施の形態においては、画像表示素子として反射型である場合を示したが、透過型の画像表示素子に対して上述の印加電圧の制御方法を適用することとしてもよい。この場合、制御基板としてガラス等の透明基板を用いるとともに、ガラス基板上に薄膜の半導体制御層を形成することとしてもよい。
【符号の説明】
【００５２】
１０…ヘッドアップディスプレイ、５０…制御装置、１００…光学ユニット、２１０…画像投射部、２３９…位相差板、２４０…画像表示素子、２７６…共通電極、２７８…液晶層、２８０…制御基板、２８２…画素電極、３５０…中間鏡、３６０…中間像形成部、３６２…拡散スクリーン、３６４…凹レンズ、３６６…ベース部材、３６８…マイクロレンズアレイ、３７０…実像、４００…投射鏡、４５０…虚像、６１０…ウィンドシールド。
【図１】
2015059979.tif 000003
【図２】
2015059979.tif 000004
【図３】
2015059979.tif 000005
【図４】
2015059979.tif 000006
【図５】
2015059979.tif 000007
【図６】
2015059979.tif 000008
【図７】
2015059979.tif 000009
【図８】
2015059979.tif 000010
【図９】
2015059979.tif 000011
【手続補正書】
【提出日】平成26年4月22日(2014.4.22)
【手続補正１】
【補正対象書類名】図面
【補正対象項目名】図６
【補正方法】変更
【補正の内容】
【図６】
2015059979.tif 000012